(57)【特許請求の範囲】
【請求項１】
押圧又は接触によりスイッチ操作を行う操作部位を複数具備するノブ、
先端側に前記ノブが取り付けられている軸部と、前記軸部の基端側に設けられ、該軸部の先端側に加えられる力の方向を検出する複数の歪みゲージを具備する検出板と、を具備する構造体本体、
及び前記ノブを覆い、且つ前記ノブの操作部位を露出させる開口部を複数具備するガイドカバー、を備え、
前記検出板は枠体内に収まった状態でケースに設けられており、
前記ガイドカバーは前記ケースに配設されており、該ガイドカバーの内表面と前記ノブの外表面との間には所定の隙間が設けられていることを特徴とするスイッチ構造体。
【請求項２】
前記ノブの操作部位の表面は、前記ガイドカバーの表面より所定の深さ奥側に位置する請求項１記載のスイッチ構造体。
【請求項３】
前記検出板は複数の歪みゲージを備え、前記軸部に加えられる複数方向の力を検出する請求項１又は２記載のスイッチ構造体。
【請求項４】
前記ノブは、車両用電動シートのシート形状の一部分又は全体に対応する形状を備え、且つスイッチ操作により可動する前記車両用電動シートの部位に対応する前記ノブの位置に前記操作部位が具備されている請求項３記載のスイッチ構造体。
【発明の詳細な説明】
【技術分野】
【０００１】
本発明は、パワーシートの操作を行うことができるシートスイッチ等に用いられる、１軸で多方向入力が可能なスイッチ構造体に関し、更に詳しくは、歪みゲージを用いた多方向入力スイッチにおいて誤操作及び破損等を防止することができるスイッチ構造体に関する。
本スイッチ構造体は、乗用車等の電動シートである、パワーシート操作用のシートスイッチとして主に用いられる。また、室内用等の他のパワーシート操作用スイッチや、空調制御及びテレビ操作等のスイッチとして用いることができる。
【背景技術】
【０００２】
自動車に設けられモータ等を用いて、リクライニング角度及びシートの前後位置等のシートの各箇所の調節を行うことができるパワーシートは、近年において調節できる箇所が増え、それに伴ってスイッチ構造体に配設するスイッチ及びノブの数が増加している（例えば、特許文献１を参照。）。このため、利用者が意図する操作に対応したノブと、そのノブの操作方法を把握することが難しくなっている。
これに対応するために、１つのノブで、多方向の入力ができるようにするため、多方向入力装置（例えば、特許文献２及び３を参照。）等を利用することが検討されている。
例えば、特許文献２の多方向入力装置は、歪みセンサによりノブの傾きを検出することができる。また、特許文献３の多方向入力装置は、ノブの傾きのほか、ノブの軸を中心とする回動及びノブの押し込みを、接点や光センサによって検出することができる。
【先行技術文献】
【特許文献】
【０００３】
【特許文献１】特開２００８−９７９３５号公報
【特許文献２】特開２００７−２５０３８９号公報
【特許文献３】特開２００７−４８４８１号公報
【発明の概要】
【発明が解決しようとする課題】
【０００４】
しかし、特許文献２及び３に示す多方向入力装置を用いた場合は、手が軽くノブに接触しただけでスイッチが反応し、シートの調整動作が行われてしまうため、シートの調整箇所を探すために手探りでノブを触ってしまい、誤って動作させてしまうこともあった。また、意図しないでノブに触れてしまったときでも動作するなど、誤操作となる場合がある。
【０００５】
また、従来の接点を用いたシートスイッチのノブと軸との接合は、外れやすくなっている。これにより、ノブに大きな力が掛かったときにノブが取り付けられている軸から外れて、軸やスイッチの接点等が破損しないように保護することができる。
一方、歪みゲージを用いたスイッチは、ノブに加わった力が軸を介して歪みゲージに伝達されるようにする必要があるため、ノブと軸とをがたつくことなく固着する必要がある。しかし、ノブに大きな力が掛かったときに、ノブと軸とが固着されていると、軸に力がそのまま伝わるため、スイッチが破損する恐れがある。
本発明は、上記現状に鑑みてなされたものであり、歪みゲージを用いた多方向入力スイッチにおいて誤操作及び破損等を防止することができるスイッチ構造体を提供することを目的とする。
【課題を解決するための手段】
【０００６】
本発明は、以下の通りである。
１．押圧又は接触によりスイッチ操作を行う操作部位を複数具備するノブ、先端側に前記ノブが取り付けられている軸部と、前記軸部の基端側に設けられ、該軸部の先端側に加えられる力の方向を検出する複数の歪みゲージを具備する検出板と、を具備する構造体本体、及び前記ノブを覆い、且つ前記ノブの操作部位を露出させる開口部を複数具備するガイドカバー、を備え、前記検出板は枠体内に収まった状態でケースに設けられており、前記ガイドカバーは前記ケースに配設されており、該ガイドカバーの内表面と前記ノブの外表面との間には所定の隙間が設けられていることを特徴とするスイッチ構造体。
２．前記ノブの操作部位の表面は、前記ガイドカバーの表面より所定の深さ奥側に位置する上記１．記載のスイッチ構造体。
３．前記検出板は複数の歪みゲージを備え、前記軸部に加えられる複数方向の力を検出する上記１．又は２．記載のスイッチ構造体。
４．前記ノブは、車両用電動シートのシート形状の一部分又は全体に対応する形状を備え、且つスイッチ操作により可動する前記車両用電動シートの部位に対応する前記ノブの位置に前記操作部位が具備されている上記３．記載のスイッチ構造体。
【発明の効果】
【０００７】
本発明のスイッチ構造体によれば、接点切替え式のスイッチよりも軽い動作でスイッチ操作が可能な歪みゲージを用いたスイッチであっても、スイッチ操作を行うためのノブを覆うようにガイドカバーを設けることにより、スイッチの各操作部位を手探りで探して、操作する場合であっても、ノブの操作部位以外の部位に手が触れて、誤操作をしてしまうことを防止することができる。また、スイッチ構造体に物をぶつけた等の衝撃によってノブ、軸部及び検出板等を破損しないように保護することができる。
更に、歪みゲージを用いたセンサは、機械的な接点を用いる場合と比べてノブを動かす必要がなく、ノブに加えられた応力によって検出することができるため、従来と比べてノブ間の隙間を極めて狭くすることができる。このため、ガイドカバーを設けた状態であっても、スイッチ構造体の操作面が占める面積を狭くすることができる。
【０００８】
また、ノブの操作部位の表面が、ガイドカバーの表面より所定の深さ奥側に位置する場合は、ガイドカバーの表面を指先でなぞるだけでは操作部位に触れることが困難となり、スイッチの各操作部位を手探りで探す場合等に、誤って意図しない操作部位を触って、意図しないスイッチ操作を行うことを防止することができる。更に、ガイドカバーの開口部の底がより深くなるので、手触りであっても操作部位の位置がより分かりやすくなる。
また、軸部に加えられる複数方向の力を検出する場合は、歪みゲージを用いたセンサによってノブに加えられる方向を検出して、その方向に対応するスイッチ操作を行うことができるため、従来の機械的な接点を用いるスイッチ手段と比べて小型化することができ、且つノブの操作方向の自由度が高くすることができる。
更に、ノブが車両用電動シートの各電動による可動要素を操作する一部分又は全部に対応している場合は、ノブの操作部位が対応するシートの位置を視覚的に把握することができ、利用者にとって分かりやすいものとすることができる。
【図面の簡単な説明】
【０００９】
【図１】本実施例に係るスイッチ構造体を示す正面図である。
【図２】本実施例に係るスイッチ構造体において、開口部を説明するための底面図である。
【図３】軸部及び検出板を具備する構造体本体を示す模式斜視図である。
【図４】構造体本体にノブを設けた状態を示す模式斜視図である。
【図５】検出板の一方の面を示す模式図である。
【図６】検出板の他方の面を示す模式図である。
【図７】異なる形状のノブを備えるスイッチ構造体を示す正面図である。
【図８】シートの調節位置及び動きを説明するための模式斜視図である。
【図９】異なる形状のノブを備えるスイッチ構造体を示す正面図である。
【図１０】異なる形状のノブを備えるスイッチ構造体を示す正面図である。
【発明を実施するための形態】
【００１０】
以下、図１〜１０を参照しながら本発明のスイッチ構造体を詳しく説明する。
本発明に係るスイッチ構造体は、歪みゲージを用いたスイッチの構造体であって、ノブ、先端側にノブが取り付けられている軸部と、軸部の基端側に設けられる複数の歪みゲージを具備する検出板と、を具備する構造体本体、及びノブを覆い、且つノブの操作部位を露出させる開口部を複数具備するガイドカバーを備え、検出板は枠体内に収まった状態でケースに設けられており、ガイドカバーはケースに配設されており、ガイドカバーの内表面とノブの外表面との間には所定の隙間が設けられていることを特徴とする。また、本スイッチ構造体は任意のケース内に設けられたり、パネル等に取り付けたり等に例示する等、任意の配設方法によって配設することができる。このような例として、車両用電動シートに配設することを挙げることができる。
【００１１】
上記「ノブ」は、スイッチ操作を行うための操作部位を複数具備する。また、「操作部位」は、図２及び図４に例示する操作部位４２、４４、４６に示すように、スイッチ操作をする者がノブ４を押圧又は接触するための場所である。このようなノブの形状及び材質等は任意に選択することができる。操作部位を配設する位置は任意に設定できるが、例えば図４に例示するノブ４の側面、即ち軸部３１の軸に対して直角となる方向を好例とすることができる。意図すること無しにノブに触れる場合は、軸部の軸と平行な方向から触れることが多いからである。
更に、ノブはスイッチ構造体により制御される対象の形状を模した形状とすることができる。このような例として図７のノブ４に例示するように、図８に例示する車両用電動シート８を側面から見た形状を模したノブとすることができる。また、対象の形状の一部分のみを模した形状としてもよいし、全体を模した形状としても良い。更に、対象の形状の一部分のみを模した形状とした場合は、複数のノブを適宜配置したときに、対象の形状の全体を模するようにすることができる。尚、スイッチ構造体に設けるノブは、対象の形状を模した形状のノブだけに限られず、例えばシートの形状を模したノブと、通常の形状のノブとを共に配設したスイッチ構造体としてもよい。また、各ノブは、独立していてもよいし、蝶番や弾性体等のノブの操作を妨げないものを介してつながっていてもよい。
【００１２】
構造体本体に具備する上記「軸部」及び「検出板」は、ノブの操作を検出するためのものである。
軸部は、ノブに加えられた力に応じて検出板に歪みを生じさせることができればよく、その材質、形状及び固定方法は特に問わない。また、軸部の基端部は検出板に設けられるが、その位置や向きは任意に選択することができる。この例として図３の軸部３１に例示するように検出板３２の中心位置に直交するように設けることを挙げることができる。検出板の全体に対して均一に歪みを与えることができ、歪みの検出が容易になるからである。
ノブに加えられる力によって軸部に加えられる力の方向は任意に選択することができる。この例として、検出板に配設されている基端側を支点として傾けるように力を加える傾動方向、軸部の軸を中心にして回転するように力を加える回動方向、及び軸部の軸方向に押し込んだり引っ張ったりするように力を加える方向等を挙げることができる。これら軸部の傾動方向、回動方向、押し込み及び引っ張り方向等の力の強さは、板状部に設けられている歪みゲージによって検出できる程度の歪みを与える力であればよい。また、これら力を加えることでわずかにノブの位置が変化する場合があるが、それにより他のノブに接触しない程度であれば好ましい。
【００１３】
検出板は、軸部の基端側に設けられる板状部、及び複数の歪みゲージを具備する。板状部は、軸部に加えられる力によって変形することができればよく、通常板状である。また、板状部の材質は特に問わず、例えば樹脂及び金属等とすることができる。更に、板状部の形状も特に問わない。
歪みゲージは、自身の形状のひずみを電気抵抗値の変化として検出することができる薄膜抵抗体であり、通常、板状部に貼付される。また、任意の数だけ板状部の任意の位置に設けることができる。例えば、図５に示すように、軸部３１を囲うように４つの歪みゲージ３２１を配設することにより、軸部３１の傾動方向の力を検出することができる。更に、図６に示すように、図５とは向きが異なる歪みゲージ３２１を更に配設することにより軸部３１の軸を中心とした回転方向や、軸部３１の軸方向の押し込み及び引っ張り等の力を検出することができる。また、歪みゲージは、板状部の片面のみ設けてもよいし、両面に設けてもよい。更に、検出板が複数の板状部を積層して構成され、歪みゲージが板状部のいずれか又はいくつかに設けられていてもよい。
また、歪みゲージによって得られる抵抗値の変化は、コントローラ等によって検出され、所定の信号に加工されてスイッチ構造体外に出力される。この信号は、任意の形式とすることができ、例えば歪みゲージの抵抗値に比例する値とすることができる。更に、抵抗値の変化から軸部３１に加えられた力の方向を求めて求められた、その方向に対応するシートの各調節部位を調節するモータ等の制御信号とすることができる。また、歪みゲージの抵抗値変化の大きさに基づいて軸部３１に加えられた力の大きさを求め、信号として出力することができる。
更に、軸部に加えられた力がいずれかの方向のどちらとも取れる場合、例えば、１つの構造体本体により左右方向と上下方向とを受け付ける場合において斜め方向の力が加えられる場合は、適宜解釈することができる。例えば、両方向の入力を同時に受け付けてもよいし、一方のみの入力として受け付けてもよいし、入力がないものとしてもよい。
【００１４】
上記「ガイドカバー」は、ノブの操作部位以外の場所を触れることができないように、保護するためのカバーであり、ノブを覆うように構造体本体に配設される。また、配設したときに、ノブの各操作部位を触れることができるように形成されている開口部を備えている。この「開口部」は、ノブの各操作部位を触れることができるようガイドカバーに設けられている連通孔である。また、ノブの操作部位の表面は、ガイドカバーの表面より奥側（図１における深さＤ）に位置するように配設することができる。この「ガイドカバーの表面より奥側」となる深さは、適宜選択できるが、例えば０．５〜５ｍｍ（より好ましくは１〜４ｍｍ）とすることができる。深さが浅すぎると誤って操作部位に触れることが多くなるし、深すぎると意図して操作部位に触れようとしても困難となるからである。
【００１５】
ガイドカバー及びノブを透光性とし、構造体本体にＬＥＤ等の発光素子を設けることができる。このようなスイッチ構造体は、発光素子の制御によりガイドカバー及びノブを光らせることができる。特に、各操作部位付近に発光素子を備え、操作に応じた点滅を行うことで、操作に対応して動作する部位が明確となり、より操作が容易となる。
【００１６】
このようなスイッチ構造体の具体例を説明する。
図１に示す本スイッチ構造体１は、図１に示すように、ケース２１及び基板２２と、ケース２１に設けられた軸部３１及び検出板３２を具備する構造体本体３と、軸部３１の先端側（図４に示す軸部３１の先端側３１２を参照。）にそれぞれ設けられるノブ４と、基板２２に設けられ且つ検出板上の歪みゲージに接続される回路部５と、基板２２に設けられて端部がケース２１外に露出し、且つ回路部に接続されているコネクタ６と、ノブ４を覆うようにケース２１に配設されるガイドカバー７と、を備える。
【００１７】
ケース２１は樹脂製であり、基板２２、構造体本体３の検出板、回路部５及びコネクタ６等を収容する。また、基板２２は、後述する構造体本体３の検出板上の歪みゲージ３２１と回路部５との間の配線、及び回路部５とコネクタ６との間の配線がされている。
構造体本体３は、図３に示すように樹脂製で略円柱形状の軸部３１と、軸部３１の基端側３１１に設けられている円板形状の検出板３２を具備する。また、軸部３１は、検出板３２の中心に位置し、直交する向きで固定されている。更に、検出板は円筒形状の枠体３０内に収まった状態でケース２１に設けられており、図５及び６に示すように樹脂製円板の板状部３２２の両面にそれぞれ４つずつ歪みゲージ３２１が配設されている。また、歪みゲージ３２１は、軸部３１の基端側３１１を支点とした傾動の方向、及び回動の方向を板状部３２２の形状の歪みとして検出できるよう、軸部３１を中心とした周りに貼付されている。
【００１８】
ノブ４は、略長方形の樹脂製である。また、図１、２及び４に示すように、ノブ４の側面の６箇所には他の部位よりも突出した操作部位４１〜４６が形成されている。この操作部位４１〜４６の具体的場所は短手方向の両側面の操作部位４１、４２、並びに長手方向の端部側側面の操作部位４３〜４６である。更に、長手方向の一端側が軸部３１に接続されており、図１に示すようにノブ４の操作部位４１、４２に触れて長手方向に力を加えることで、そのまま軸部３１の左右方向に力を加えることができる。また、長手方向の軸部３１が接続されている側のノブ４の操作部位４３、４４に触れて短手方向に力を加えることで、軸部３１の上下方向に力を加えることができる。更に、長手方向の反対側ノブ４の操作部位４５、４６に触れて短手方向に力を加えることで、軸部３１の回転方向に力を加えることができる。
【００１９】
回路部５は、図１に示すように軸部３１に加えられた力によって変形する板状部３２２に貼付されている歪みゲージ３２１の抵抗値をホイートストンブリッジ等の回路を利用して求め、その変化から軸部３１の傾動方向及び回動方向の力を求め、シート８の調節箇所を制御するための駆動信号を生成するソフトウェアを具備するマイクロコントローラ（ＭＣＵともいう、図示せず）等からなる。尚、回路部は、マイクロコントローラに限られずデジタル信号プロセッサ、プログラム可能な論理回路、ゲートアレー等の論理回路から構成されていてもよい。
コネクタ６は、回路部５により生成された駆動信号を出力するための端子であり、ワイヤハーネス等によってＥＣＵ等に接続される。
ガイドカバー７は、ノブ４より一回り大きな略長方形状の樹脂製であり、各操作部位４１〜４６が露出するように開口部７１〜７６が設けられている。尚、開口部周縁の表面から操作部位表面までの深さＤは約１．５ｍｍである。また、ガイドカバー７の内表面と、ノブ４の表面との隙間は約２ｍｍ設けられている。
【００２０】
このような、スイッチ構造体は、図１に示すようにガイドカバー７の開口部７１〜７６に指先を入れて、ノブ４の操作部位４１〜４６に触れることによって、回路部５が軸部の左右方向、上下方向及び回転方向に加えられる力として検出することができ、それぞれの方向に対応する信号をコネクタ６に出力することができる。
また、ガイドカバー７に触れても、覆っているノブ４と隙間が形成されているため、ガイドカバー７の内表面がノブ４に接触して意図しない信号を出力することを防止することができる。これにより、ノブ４の各操作部位４１〜４６を手探りで探して、操作する場合であっても、操作部位４１〜４６以外の部位に手が触れて、誤操作をしてしまうことを防止することができる。また、スイッチ構造体１に物をぶつけた等の衝撃がノブ４に伝わることを防ぎ、ノブ４、軸部３１及び検出板３２等を破損しないように保護することができる。
【００２１】
更に、歪みゲージ３２１を用いて軸部３１に加わった力の方向を検出することにより、軸部３１等を可動させる必要がないため構造体本体３を小型化することができる。
更に、３種類の方向を検出するために必要な構造体本体３が１つで済むため、スイッチ構造体の部品点数を減らすことができる。
【００２２】
図７に示す他の態様のスイッチ構造体１’は、図８に示す車両用電動シートである自動車のパワーシート８の各調節可能な箇所（例えば矢印９１〜９３を参照。）をモータ等で操作するためのパワーシートスイッチであり、図７に示すように、ケース２１及び基板２２と、ケース２１に設けられた軸部３１及び検出板３２を具備する構造体本体３と、軸部３１の先端側にそれぞれ設けられるノブと、基板２２に設けられ且つ検出板上の各歪みゲージに接続される回路部５と、基板２２に設けられて端部がケース２１外に露出し、且つ回路部に接続されているコネクタ６と、ノブ４を覆うように配設されるガイドカバー７と、を備える。
尚、ケース２１、基板２２、構造体本体３、回路部５及びコネクタ６は図１に示すスイッチ構造体１と同様の構成であるため説明を省略する。
【００２３】
ノブ４は、樹脂製であり、図８に示すシート８を側面側から見た形状を模している。
ノブ４は、座面部８３を模している部位の略中央となる位置に軸部３１に接続されている。また、操作部位４１、４２は、座面部８３を模している部位の左右の端部に相当する側面に設けられており、これらに触れると軸部３１の左右方向に力を加えることができる。
更に、操作部位４３、４４は、座面部８３を模している部位の略中央となる位置、即ち軸部３１の上下に位置する側面に設けられて、これらに触れると軸部３１の上下方向に力を加えることができる。
また、操作部位４３、４４は、背もたれ部８２を模している部位の上端の前後に位置する側面に設けられており、これらに触れると軸部３１の回転方向に力を加えることができる。
【００２４】
このような、パワーシートスイッチであるスイッチ構造体は、図７に示すようにガイドカバー７の開口部７１〜７６に指先を入れて、ノブ４の操作部位４１〜４６に触れることによって、軸部の左右方向、上下方向及び回転方向に加えられる力として検出することができる。そして、これら検出された信号を用い、回路部５はシート８の各要素のモータを駆動する駆動信号をコネクタ６に出力する。
これによって座面部８３の前後端部の位置に相当する操作部位４１、４２を触れたときはシート８の前後位置９５を調節することができる。また、座面部８３の上下の位置に相当する操作部位４３、４４を触れたときはシート８の高さ９６を調節することができる。更に、背もたれ部８２に相当する操作部位４５、４６を触れたときは背もたれ部８２のリクライニング角度９３を調節することができる。
【００２５】
上記の通り、図８に示すシート８の形状を模した図７に示すノブ４の各部位に所定の方向に力を加えると、図８に示すシート８の各調節箇所の調節を行うことができ、ノブ４の各操作部位４１〜４６が対応するシートの位置が視覚的に把握することができ、利用者にとって分かりやすいものとすることができる。また、歪みゲージを用いて検出するために軸部３１に加えるだけでその方向を検出することができる一方、ノブ４がガイドカバー７によって保護されているため、誤操作及び破損等を防止することができる。
【００２６】
尚、本発明においては、上記実施例に限られず、目的、用途に応じて本発明の範囲内で種々変更した実施例とすることができる。即ち、本スイッチ構造体はパワーシートスイッチに限られず、空調制御及びテレビ操作等のスイッチ等の電装部品に用いることができる。
また、各例においては、一つのスイッチ構造体１、１’を用いたスイッチを挙げたが、これに限られず、図９及び１０に示すように複数の一つのスイッチ構造体本体３ａ〜３ｅを組み合わせたスイッチ構造体とすることができる。
【００２７】
例えば、図９に示すように、車両用電動シートのシート形状を２分割してそれぞれに模したノブ４ａ、４ｂ、これらの検出を行う構造体本体３ａ、３ｂ及びノブ４ａ、４ｂを覆って保護するガイドカバー７としたスイッチ構造体１１とすることができる。
ノブ４ａは、シートの背もたれ部を模しており、上端側の操作部位４５ａ、４６ａを、開口部を介して触れられることにより、軸部の回転方向の検出ができ、リクライニング角度を調節することができる。また、下端側の操作部位４１ａ、４２ａを、開口部を介して触れられることにより、軸部の左右方向の検出ができ、サイドサポート（腰の両端位置を支える部分）のせり出し量を調節することができる。
ノブ４ｂは、シートの座面部を模しており、中央部上下側の操作部位４５ｂ、４６ｂを、開口部を介して触れられることにより、軸部の回転方向の検出ができ、シートの高さを調節することができる。また、左右端部の操作部位４１ｂ、４２ｂを、開口部を介して触れられることにより、軸部の左右方向の検出ができ、シートの前後位置を調節することができる。更に、右側端部の上下側の操作部位４３ｂ、４４ｂを、開口部を介して触れられることにより、軸部の上下方向の検出ができ、座面部の前部のチルト量を調節することができる。
このように、図９に示すスイッチ構造体１１は、２つのスイッチ構造体本体３ａ、３ｂ及びノブ４ａ、４ｂを用いることで、５種類の方向を検出することができ、従来の接点を用いたスイッチより部品点数を少なくすることができる。また、歪みゲージを用いた検出はノブ４ａ、４ｂが殆ど移動しないため、例えばノブ間の隙間を最短で約１．５ｍｍ程度に狭くすることができる。このため、スイッチ構造体の操作面が占める面積を狭くすることができる。更に、複数のノブ４ａ、４ｂを１つのガイドカバー７で覆うことにより１つのシートに見せることができ、利用者にとってシートの調整に関するノブであることを、より強く喚起することができる。
【００２８】
更に、図１０に例示するように、車両用電動シートのシート形状を３つに分割してそれぞれに模したノブ４ａ〜４ｃ、独立したノブ４ｄ、４ｅ、これらの検出を行う構造体本体３ａ〜３ｅ、ノブ４ａ〜４ｃを覆って保護するガイドカバー７ａ、及びノブ４ｄ、４ｅを覆って保護するガイドカバー７ｂ、７ｃとしたスイッチ構造体１２とすることができる。
ノブ４ａは、図８に示すシート８のヘッドレスト部８１を模しており、上端側の操作部位４１ａ、４２ａを、開口部を介して触れられることにより、軸部の左右方向の検出ができ、背もたれ部８２上部の中折れ量を調節することができる。
ノブ４ｂは、シートの背もたれ部８２を模しており、上端側の操作部位４５ｂ、４６ｂを、開口部を介して触れられることにより、軸部の回転方向の検出ができ、リクライニング角度を調節することができる。また、下端側の操作部位４１ｂ、４２ｂを、開口部を介して触れられることにより、軸部の左右方向の検出ができ、サイドサポート（腰の両端位置を支える部分）のせり出し量を調節することができる。
ノブ４ｃは、シートの座面部を模しており、中央部上下側の操作部位４５ｃ、４６ｃを、開口部を介して触れられることにより、軸部の回転方向の検出ができ、シートの高さを調節することができる。また、左右端部の操作部位４１ｃ、４２ｃを、開口部を介して触れられることにより、軸部の左右方向の検出ができ、シートの前後位置を調節することができる。更に、右側端部の上下側の操作部位４３ｃ、４４ｃを、開口部を介して触れられることにより、軸部の上下方向の検出ができ、座面部の前部のチルト量を調節することができる。
ノブ４ｄ、４ｅは、いずれも略四角形状であり、左右側の操作部位４１ｄ、４２ｄ、４１ｅ、４２ｅを、上下側の操作部位４３ｄ、４４ｄ、４３ｅ、４４ｅを、開口部を介して触れられることにより、各方向の検出を行うことができる。
このように、図１２に示すスイッチ構造体は、５つのスイッチ構造体本体３ａ〜３ｅ及びノブ４ａ〜４ｅを用いることで、１０種類の方向を検出することができ、従来の接点を用いたスイッチより部品点数を少なくすることができる。また、複数のノブ４ａ〜４ｃを１つのガイドカバー７ａで覆うことにより１つのシートに見せることができるほか、独立したノブ４ｄ、４ｅを備えることで、複数種類の入力を容易に視認することができる。
【００２９】
また、上記例においてはノブ４ａ〜４ｅを用いて１０種類の方向を検出するものとしたがこれに限られず、同じ、ノブ４ａ〜４ｅを用いて更に多くの方向を検出することができる。例えば、４ｃの正面に開口部を設け、押し込むことにより軸部３１の押し込みを検出することができる。
また、上記例の検出板に具備する歪みゲージは８個であるが、この数に限られず任意の数を設けてもよい。
また、歪みゲージに加わった力の強さを検出し、その強さに対応する信号を生成することができる。このような検出した力の強さは、例えばその強さに対応した速度でシート８の各調節の速度を変える信号として用いることができる。
【産業上の利用可能性】
【００３０】
本スイッチ構造体は、車両用のシートスイッチとして用いることができる。また、室内用のシートのシートスイッチに用いることができる。更に、稼働する対象を模した複数のノブが一体に見えるように配設し、少ない面積で配設することができるスイッチ構造体に適用することができる。
【符号の説明】
【００３１】
１、１’、１１、１２；スイッチ構造体、２１；ケース、２２；基板、３；構造体本体、３０；枠体、３１；軸部、３２；検出板、３２１；歪みゲージ、３２２；板状部、４、４ａ〜４ｅ；第１ノブ〜第５ノブ、４１〜４６；操作部位、５；回路部、６；コネクタ、７；ガイドカバー、７１〜７６；開口部、８；シート、８１；ヘッドレスト部、８２；背もたれ部、８３；座面部。
【図１】
0005533225.tif 000002
【図２】
0005533225.tif 000003
【図３】
0005533225.tif 000004
【図４】
0005533225.tif 000005
【図５】
0005533225.tif 000006
【図６】
0005533225.tif 000007
【図７】
0005533225.tif 000008
【図８】
0005533225.tif 000009
【図９】
0005533225.tif 000010
【図１０】
0005533225.tif 000011